【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
搬送部から搬送されたシートに穿孔処理を施し、シートを集積する収納部に向けて搬送するシート処理装置であって、
前記搬送部から搬送されたシートに対して穿孔位置において穿孔処理を施すことが可能な穿孔手段と、
前記搬送部から搬送されたシートを前記穿孔位置に案内するとともに、シートを第１送出部から前記収納部に向けて送出するための第１搬送経路と、
前記搬送部から搬送されたシートを案内するとともに、シートを前記第１送出部とは異なる第２送出部から前記収納部に向けて送出するための第２搬送経路と、
前記第２搬送経路に案内されたシートを前記第２送出部から前記収納部に送出する送出部材と、を備え、
前記第２搬送経路は、前記第１搬送経路にシートが搬送される際の搬送方向に関して、前記第１搬送経路と重なるように配置され、
前記第２搬送経路は、前記穿孔手段と一体で前記収納部に対して着脱可能としたことを特徴とするシート処理装置。
【請求項２】
前記第１搬送経路に沿ってシートを搬送するとともに、前記第１送出部から前記収納部にシートを搬送するための搬送部材を備えることを特徴とする請求項１に記載のシート処理装置。
【請求項３】
前記搬送部材は、シートを前記第１、第２搬送経路の下流に配設された前記収納部に送り出すための第１送出ローラ対であり、前記送出部材は、前記収納部にシートを送り出すための第２送出ローラ対であることを特徴とする請求項２に記載のシート処理装置。
【請求項４】
前記穿孔手段は、シートに穿孔を施す穿孔機構とこの穿孔機構で穿孔されたシートの屑を収納する屑箱を備えることを特徴とする請求項１から３のいずれか１項に記載のシート処理装置。
【請求項５】
前記第１搬送経路は、前記搬送部から搬送されたシートが搬入される第１搬入口を有し、
前記第２搬送経路は、前記搬送部から搬送されたシートが搬入される、前記第１搬入口とは異なる第２搬入口を有する、ことを特徴とする請求項１から４のいずれか１項に記載のシート処理装置。
【請求項６】
シートに画像を形成する画像形成装置に取り付けられるシート処理装置であって、
シートに対して穿孔位置において穿孔処理を施すことが可能な穿孔手段と、
前記画像形成装置から送られたシートを前記穿孔位置に案内する第１搬送経路と、
前記画像形成装置から送られたシートを案内する第２搬送経路と、
前記第１搬送経路に案内されたシートを収納する第１スタックトレイと、
前記第２搬送経路に案内されたシートを収納する第２スタックトレイと、
前記第２搬送経路に案内されたシートを前記第２スタックトレイに送出する送出部材と、
を備え、
前記第１搬送経路は、第１送出部からシートを前記第１スタックトレイに向けて送出するための経路であり、
前記第２搬送経路は、前記第１送出部とは異なる第２送出部からシートを前記第２スタックトレイに向けて送出するための経路であり、
前記送出部材は、前記第２搬送経路に案内されたシートを前記第２送出部から前記第２スタックトレイに送出するものであり、
前記穿孔手段と、前記第１搬送経路と、第２搬送経路と、前記送出部材とは、第１ユニットとして構成され、
前記第１スタックトレイと前記第２スタックトレイとは、第２ユニットとして構成され、
前記第１ユニットおよび前記第２ユニットは、前記画像形成装置に対してそれぞれ着脱可能に構成されていることを特徴とするシート処理装置。
【請求項７】
前記第１ユニットは、装着されたときに前記画像形成装置の排出部に連設されるように構成され、
前記第２ユニットは、前記第１ユニットが装着されたときに前記第１ユニットに連設され、前記第１ユニットを取り外したときに前記画像形成装置の排出部に連設されるように構成されることを特徴とする請求項６に記載のシート処理装置。
【請求項８】
前記第１ユニットは、前記第１搬送経路に案内されたシートを前記第１送出部から前記第２ユニットに搬送する搬送部材を備えることを特徴とする請求項６又は７に記載のシート処理装置。
【請求項９】
前記第２スタックトレイは、前記送出部材で送り出されたシートを収納する位置に配置されたことを特徴とする請求項６から８のいずれか１項に記載のシート処理装置。
【請求項１０】
前記第２ユニットは、前記第１送出部から送出されたシートに処理を施すことが可能な処理手段を備えることを特徴とする請求項６から９のいずれか１項に記載のシート処理装置。
【請求項１１】
前記第２スタックトレイは、前記第１搬送経路を通過し、前記処理手段によって処理が施されたシートが収納されることを特徴とする請求項１０に記載のシート処理装置。
【請求項１２】
前記処理手段はシートに綴じ処理を施す綴じ機構を有することを特徴とする請求項１０または１１に記載のシート処理装置。
【請求項１３】
前記第１スタックトレイに収納されたシートの、前記第１搬送経路にシートが搬送される際の搬送方向に関して上流端を規制する、第１規制部と、
前記第２スタックトレイに収納されたシートの、前記搬送方向に関して上流端を規制する、第２規制部と、
前記処理手段に処理されるシートの、前記搬送方向に関して上流端を規制する、第３規制部と、を備え、
前記第２規制部、前記第３規制部、前記第１規制部の順に前記搬送方向に向かって間隔を隔てて位置していることを特徴とする請求項１０から１２のいずれか１項に記載のシート処理装置。
【請求項１４】
前記第２スタックトレイは、前記第１搬送経路にシートが搬送される際の搬送方向に関して、前記処理手段と重なるように配置されることを特徴とする請求項１０から１２のいずれか１項に記載のシート処理装置。
【請求項１５】
前記第２スタックトレイは、前記搬送方向に関して、前記処理手段と重なるように配置されることを特徴とする請求項１３または１４に記載のシート処理装置。
【請求項１６】
前記第２搬送経路は、前記第１搬送経路にシートが搬送される際の搬送方向に関して、前記第１搬送経路と重なるように配置されることを特徴とする請求項６から１２のいずれか１項に記載のシート処理装置。
【請求項１７】
前記第２搬送経路は、前記搬送方向に関して、前記第１搬送経路と重なるように配置されることを特徴とする請求項１３から１５のいずれか１項に記載のシート処理装置。
【請求項１８】
前記処理手段は、前記第１送出部から送出されたシートに対して綴じ処理を実行する綴じ手段であることを特徴とする請求項１０から１７のいずれか１項に記載のシート処理装置。
【請求項１９】
前記第１搬送経路は、前記画像形成装置から搬送されたシートが搬入される第１搬入口を有し、
前記第２搬送経路は、前記画像形成装置から搬送されたシートが搬入される、前記第１搬入口とは異なる第２搬入口を有する、ことを特徴とする請求項６から１８のいずれか１項に記載のシート処理装置。
【請求項２０】
前記第１ユニットの上面には、前記画像形成装置の排出部で搬送方向を逆転して搬送されるシートを支持するガイド面が形成されていることを特徴とする請求項６から１９のいずれか１項に記載のシート処理装置。
【請求項２１】
前記第２搬送経路は、前記穿孔手段と一体で前記搬送部に対して着脱可能としたことを特徴とする請求項１から５のいずれか１項に記載のシート処理装置。
【手続補正２】
【補正対象書類名】明細書
【補正対象項目名】００１０
【補正方法】変更
【補正の内容】
【００１０】
上記目的を達成するため本発明は、搬送部から搬送されたシートに穿孔処理を施し、シートを集積する収納部に向けて搬送するシート処理装置であって、前記搬送部から搬送されたシートに対して穿孔位置において穿孔処理を施すことが可能な穿孔手段と、前記搬送部から搬送されたシートを前記穿孔位置に案内するとともに、シートを第１送出部から前記収納部に向けて送出するための第１搬送経路と、前記搬送部から搬送されたシートを案内するとともに、シートを前記第１送出部とは異なる第２送出部から前記収納部に向けて送出するための第２搬送経路と、前記第２搬送経路に案内されたシートを前記第２送出部から前記収納部に送出する送出部材と、を備え、前記第２搬送経路は、前記第１搬送経路にシートが搬送される際の搬送方向に関して、前記第１搬送経路と重なるように配置され、前記第２搬送経路は、前記穿孔手段と一体で前記収納部に対して着脱可能としたものである。